(57)【特許請求の範囲】
【請求項１】
装置本体内の両側部に設けられたガイド部材によって蓋体をガイドすることにより、前記蓋体が前記装置本体内に引出し自在に収納されるとともに所定の引出し終了位置に引出される蓋開閉装置において、
前記蓋体が前記引出し終了位置に引出される直前の位置で引出し動作を停止させるストッパ手段と、
前記ストッパ手段によって引出し動作が停止された状態で、前記蓋体を引出し方向とは異なる方向へ動作させることにより、前記ストッパ手段による前記引出し動作の停止を解除するストッパ解除部材と
を備えたことを特徴とする蓋開閉装置。
【請求項２】
前記ストッパ手段は、前記装置本体に設けられた弾性部材と、この弾性部材に設けられたストッパ片と、前記蓋体に設けられて前記ストッパ片に当接する当接部材とからなり、
前記ストッパ解除部材は、前記蓋体に設けられ、前記蓋体の押し上げ動作によって前記弾性部材の弾性力に抗して前記ストッパ片を押し下げて前記当接部材の当接を解除する構成である
ことを特徴とする請求項１記載の蓋開閉装置。
【発明の詳細な説明】
【０００１】
【発明の属する技術分野】
この発明は、鍵盤楽器や家具などに用いられる蓋開閉装置に関する。
【０００２】
【従来の技術】
従来、鍵盤楽器においては、白鍵および黒鍵が多数配列された鍵盤部を開閉自在に覆う鍵盤蓋を備え、この鍵盤蓋を楽器本体内に引出し自在に収納するようにしたものがある。このような鍵盤楽器の蓋開閉装置は、鍵盤蓋が滑らかに引出し動作できるように、楽器本体内にガイドレールを設け、このガイドレール上を転動するローラを鍵盤蓋に設け、このローラがガイドレール上を転動することにより、鍵盤蓋を滑らかに移動させて開閉できるように構成されている。
【０００３】
【発明が解決しようとする課題】
しかしながら、このような鍵盤楽器の蓋開閉装置では、鍵盤蓋が滑らかに移動するように構成されているため、鍵盤蓋を引出して鍵盤部を覆うときに、鍵盤蓋に必要以上の加速度がついて鍵盤蓋の先端部と楽器本体の前板との間に指を挾んでしまう可能性がある。特に、鍵盤蓋は重量が重いため加速度がつきやすく、指などを挾みやすい。
この発明の課題は、鍵盤蓋などの蓋体を引出す際に必要以上の加速度がついても、指などを挾まないように安全に蓋体を引出すことができるようにすることである。
【０００４】
【課題を解決するための手段】
この発明は、装置本体内の両側部に設けられたガイド部材によって蓋体をガイドすることにより、蓋体が装置本体内に引出し自在に収納されるとともに所定の引出し終了位置に引出される蓋開閉装置において、蓋体が引出し終了位置に引出される直前の位置で引出し動作を停止させるストッパ手段と、このストッパ手段によって引出し動作が停止された状態で、蓋体を引出し方向とは異なる方向へ動作させることにより、ストッパ手段による引出し動作の停止を解除するストッパ解除部材とを備えたことを特徴とする。
したがって、この発明によれば、蓋体が引出し終了位置に引出される直前で、ストッパ手段によって蓋体の引出し動作が停止されるので、蓋体が例えば重量の重い鍵盤蓋で、従来のように蓋体を引出す際に必要以上の加速度がついても、蓋体によって指などを挟むことがなく、しかもこの後、蓋体を引出し方向とは異なる方向へ動作させる、例えば押し上げると、ストッパ解除部材がストッパ手段による引出し動作の停止を解除するので、蓋体を安全に引出し終了位置に引出すことができる。
【０００５】
【発明の実施の形態】
以下、図１〜図３を参照して、この発明の蓋開閉装置を鍵盤楽器に適用した一実施形態について説明する。
図１は鍵盤楽器の断面図である。この図において、楽器本体１は、底板２、左右の各側板３、上面板４、前板５、背面板６、および上前板７によって手前側（同図では左側）のほぼ半分が一段低い箱状に構成されている。この楽器本体１内における底板２の上面には、鍵盤シャーシ８が設けられており、この鍵盤シャーシ８上には、白鍵９ａおよび黒鍵９ｂが多数配列された鍵盤部９が前板５と上前板７との間に位置して設けられている。また、楽器本体１内における上面板４の下側には、鍵盤部９上を開閉自在に覆う鍵盤蓋１０が引出し自在に収納されている。
【０００６】
鍵盤蓋１０の蓋開閉装置は、楽器本体１の各側板３の内面のほぼ前側半分に設けられた一対のガイドレール１１と、各側板３の内面のほぼ後側半分に設けられた一対のラック１２と、鍵盤蓋１０の前端部にそれぞれ支持部材１３を介して設けられて各ガイドレール１１上を転動する一対のローラ１４と、鍵盤蓋１０の後端部にそれぞれ支持部材１５を介して設けられて各ラック１２に噛み合って転動する一対のピニオン１６とを備えている。この場合、一対のガイドレール１１と一対のラック１２とが鍵盤蓋１０のガイド部材に相当する。
【０００７】
一対のガイドレール１１は、前板５と上前板７との間に位置する各側板３の内面に設けられ、前端部が低く後部が次第に高くなるように緩やかに傾斜した上、後端部が少し低くなるように後部側が山形状に形成された構成になっている。
一対のラック１２は、上面板４に対応する位置の各側板３の内面にほぼ水平な状態で各ガイドレール１１の後端部にほぼ連続して設けられている。
【０００８】
一対のローラ１４は、各ガイドレール１１の後端部から各ガイドレール１１の前端部に位置する前板５の上端面までの間を移動するように構成されている。
一対のピニオン１６は、１本の軸１７の両端部に取り付けられ、この軸１７が２つの支持部材１５に回転自在に取り付けられ、これら支持部材１５が鍵盤蓋１０の後端部に取り付けられ、これにより鍵盤蓋１０に対して回転可能な状態で取り付けられ、この状態で一対のラック１２の後端部から前端部までの間を移動するように構成されている。この場合、軸１７は、各側板３の内面に設けられたガイド板１８のガイド孔１８ａ内に移動自在に挿入されている。
【０００９】
そして、一対のローラ１４が各ガイドレール１１の後端部に位置し、かつ一対のピニオン１６が各ラック１２の後端部に位置した状態のときには、図１に２点鎖線で示すように、鍵盤蓋１０が楽器本体１内に収納され、また一対のローラ１４が各ガイドレール１１の前端部に位置する前板５の上端面に位置し、かつ一対のピニオン１６が各ラック１２の前端部に位置した状態のときには、図２に３点鎖線で示すように、鍵盤蓋１０の引出し終了位置となり、鍵盤蓋１０が鍵盤部９を完全に覆う状態になる。
【００１０】
また、この蓋開閉装置は、鍵盤蓋１０が引出し終了位置に引出される直前で鍵盤蓋１０の引出し動作を停止させるストッパ手段と、このストッパ手段によって引出し動作が停止された状態で、鍵盤蓋１０を押し上げる動作によりストッパ手段による引出し動作の停止を解除するストッパ解除部材とを備えている。
ストッパ手段は、楽器本体１内に設けられたコンソールパネル１９上に設けられたコイルばね（弾性部材）２０と、このコイルばね２０上に設けられたストッパ片２１と、鍵盤蓋１０の後端部にストッパ片２１と対応して設けられた当接部材２２とからなっている。
【００１１】
この場合、コイルばね２０は、各ラック１２の前端部よりも少し後側で、かつ各支持部材１５の下側にそれぞれ位置して設けられている。ストッパ片２１は、金属板をＬ字状に折り曲げたものであり、その立上り部が各支持部材１５に当接しないように、水平部が各コイルばね２０上にそれぞれ設けられ、この水平部の上面がコンソールパネル１９に設けられた突起部１９ａの下面に当接し、これにより上方への位置が規制されるように構成されている。なお、突起部１９ａは、支持部材１５が当接しないように構成されている。当接部材２２は、各ストッパ片２１に対応する鍵盤蓋１０の後端部に垂下されて設けられ、その下端部の両側面がストッパ片２１の上端部の両側面のいずれかに当接し、鍵盤蓋１０の引出し方向への移動を阻止するように構成されている。
【００１２】
ストッパ解除部材は、ピニオン１６の軸１７を回転自在に支持する支持部材１５であり、ストッパ片２１に当接部材２２が当接して鍵盤蓋１０の引出し動作が停止された状態で、図２に実線で示すように、鍵盤蓋１０が押し上げられたときに、軸１７を中心に支持部材１５が回動して支持部材１５の下端部がコイルばね２０をそのばね力に抗して押し下げ、当接部材２２の下端部からストッパ片２１の上端部を下方に離脱させるように構成されている。
【００１３】
次に、このような鍵盤楽器の鍵盤蓋１０の開閉動作について説明する。
鍵盤蓋１０が楽器本体１内に収納された状態では、図１に２点鎖線で示すように、一対のローラ１４が各ガイドレール１１の後端部に位置し、かつ一対のピニオン１６が各ラック１２の後端部に位置している。この状態で、鍵盤蓋１０を手前側に引出すと、一対のローラ１４が各ガイドレール１１上を転動しながら手前側に移動するとともに、一対のピニオン１６が各ラック１２に噛み合いながら転動して手前側に移動し、これにより鍵盤蓋１０が楽器本体１内から引出される。このように、鍵盤蓋１０が引出されて鍵盤部９を完全に覆う引出し終了位置の直前に到達すると、図３（ａ）に示すように、鍵盤蓋１０の後端部に設けられた当接部材２２の下端部の側面がストッパ片２１の上端部の側面に当接し、これにより鍵盤蓋１０の引出し方向への移動が阻止される。
【００１４】
この状態で、図２に実線で示すように、鍵盤蓋１０の手前側の先端部を押し上げると、鍵盤蓋１０がピニオン１６の軸１７を中心に回動し、これに伴って支持部材１５が回動するので、図３（ｂ）に示すように、支持部材１５の下端部がストッパ片２１の水平部を介してコイルばね２０をそのばね力に抗して押し下げることなる。これにより、当接部材２２の下端部からストッパ片２１の上端部が下方に離脱し、ストッパ手段による引出し動作の停止が解除される。この状態では、鍵盤蓋１０を引出すことができるので、鍵盤蓋１０を更に引出して鍵盤蓋１０を下げると、一対のローラ１４が楽器本体１の前板５の上端面に位置し、かつ一対のピニオン１６が各ラック１２の前端部に位置することなり、図２に３点鎖線で示すように、鍵盤蓋１０が引出し終了位置に到達して鍵盤部９を完全に覆って閉じる。
【００１５】
また、鍵盤蓋１０を開いて楽器本体１内に収納する場合には、鍵盤蓋１０の手前側の先端部を押し上げて一対のローラ１４を各ガイドレール１１の先端部に移動させると、図３（ａ）に示すように、当接部材２２の下端部の側面がストッパ片２１の上端部の側面に当接するが、この状態で、鍵盤蓋１０の先端部をさらに押し上げると、上記と同様に、支持部材１５がピニオン１６の軸１７を中心に回動し、支持部材１５の下端部がストッパ片２１の水平部を介してコイルばね２０をそのばね力に抗して押し下げるので、図３（ｂ）に示すように、当接部材２２の下端部からストッパ片２１の上端部が下方に離脱し、ストッパ手段による引出し動作の停止が解除される。このため、鍵盤蓋１０を収納方向に移動させて鍵盤蓋１０を下げると、一対のローラ１４がガイドレール１１上に配置され、この状態で鍵盤蓋１０を収納方向に移動させると、一対のローラ１４がガイドレール１１上を転動しながら後方に移動するとともに、一対のピニオン１６が各ラック１２に噛み合いながら転動して後方に移動し、これにより図１に２点鎖線で示すように鍵盤蓋１０が楽器本体１内に収納される。
【００１６】
このように、この鍵盤蓋１０の蓋開閉装置によれば、楽器本体１内に収納された鍵盤蓋１０を引出して鍵盤部９を覆う際に、鍵盤蓋１０が引出し終了位置に引出される直前で、ストッパ手段のストッパ片２１に当接部材２２が当接して鍵盤蓋１０の引出し動作が停止されるので、鍵盤蓋１０の重量が重くて、従来のように鍵盤蓋１０を引出す際に必要以上の加速度がついても、鍵盤蓋１０によって指などを挾むことがなく、しかもこの後、鍵盤蓋１０を押し上げると、ストッパ解除部材がストッパ手段による引出し動作の停止を解除するので、鍵盤蓋１０を安全に引出し終了位置に引出して鍵盤部９を覆うことができる。
【００１７】
なお、上記実施形態では、一対のピニオン１６が取り付けられた軸１７を回転自在に支持する支持部材１５をストッパ解除部材として用いた場合について述べたが、これに限らず、鍵盤蓋１０を押し上げたときにストッパ手段のコイルばね２０をそのばね力に抗して押し下げるストッパ解除部材を別部材として鍵盤蓋１０に設けても良い。
【００１８】
また、上記実施形態では、ストッパ手段の弾性部材として、コイルばね２０を用いたが、これに限らず、例えば板ばねやゴム部材などを用いても良い。
また、上記実施形態では、ガイド部材がガイドレール１１とラック１２とで構成されているが、必ずしもラック１２を用いる必要はなく、一対のガイドレールのみで構成しても良い。この場合には、鍵盤蓋１０の後端部に一対のピニオンに代えて一対のローラを設ければ良い。
【００１９】
さらに、上記実施形態では、鍵盤楽器の鍵盤蓋１０に適用した場合について述べたが、これに限らず、例えば収納キャビネットの引出部材や蓋体などの開閉構造としても適用することができる。
【００２０】
【発明の効果】
以上説明したように、この発明によれば、蓋体が引出し終了位置に引出される直前で、ストッパ手段によって蓋体の引出し動作が停止されるので、蓋体が例えば重量の重い鍵盤蓋で、従来のように蓋体を引出す際に必要以上の加速度がついても、蓋体によって指などを挟むことがなく、しかもこの後、蓋体を引出し方向とは異なる方向へ動作させる、例えば押し上げると、ストッパ解除部材がストッパ手段による引出し動作の停止を解除するので、蓋体を安全に引出し終了位置に引出すことができる。
【図面の簡単な説明】
【図１】この発明の蓋開閉装置を鍵盤楽器に適用した断面図。
【図２】図１の鍵盤蓋が引出し終了位置の直前でストッパ手段によって引出し動作が停止された状態で鍵盤蓋を押し上げた状態を示した要部断面図。
【図３】ストッパ手段およびストッパ解除部材を示し、（ａ）はストッパ手段によって鍵盤蓋の引出しが停止された状態を示した図、（ｂ）はストッパ解除部材によって引出し動作の停止が解除された状態を示した図。
【符号の説明】
１  楽器本体
９  鍵盤部
１０  鍵盤蓋
１１  ガイドレール
１２  ラック
１４  ローラ
１５  支持部材
１６  ピニオン
１７  軸
２０  コイルばね
２１  ストッパ片
２２  当接部材
【図１】
0003713899.tif 000002
【図２】
0003713899.tif 000003
【図３】
0003713899.tif 000004